(57)【要約】【課題】光通信システムにおいて伝送される光信号をモニタし、光アクセス網の構築または保守の良好な実施を可能とする光通信判別装置を提供する。【解決手段】光通信判別装置は、局側装置および宅側装置間の光伝送路における前記宅側装置から前記局側装置への光信号を受けて電気信号に変換する光電変換部と、前記光電変換部によって変換された前記電気信号に基づいて、前記宅側装置の前記局側装置との通信に関する状態である接続状態を判定する判定部と、前記判定部による判定結果を提示する制御を行う提示制御部とを備え、前記判定部は、前記電気信号に含まれるフレームのうち、第１のフレームの一定期間における数であるフレーム数、および前記第１のフレームと種類の異なる第２のフレームの有無に基づいて、前記接続状態を判定する。【選択図】図３
2020123935.tif 000002
【特許請求の範囲】
【請求項１】
局側装置および宅側装置間の光伝送路における前記宅側装置から前記局側装置への光信号を受けて電気信号に変換する光電変換部と、
前記光電変換部によって変換された前記電気信号に基づいて、前記宅側装置の前記局側装置との通信に関する状態である接続状態を判定する判定部と、
前記判定部による判定結果を提示する制御を行う提示制御部とを備え、
前記判定部は、前記電気信号に含まれるフレームのうち、第１のフレームの一定期間における数であるフレーム数、および前記第１のフレームと種類の異なる第２のフレームの有無に基づいて、前記接続状態を判定する、光通信判別装置。
【請求項２】
前記接続状態には、前記宅側装置が前記光伝送路に接続されていない未接続状態と、前記宅側装置が前記光伝送路に接続され、かつ前記局側装置に認証されていない未認証状態と、前記宅側装置が前記光伝送路に接続され、かつ前記局側装置に認証された認証状態とがある、請求項１に記載の光通信判別装置。
【請求項３】
前記提示制御部は、さらに、前記フレーム数が所定の閾値以上であり、かつ前記第２のフレームが未検出である状態を提示する制御を行う、請求項１または請求項２に記載の光通信判別装置。
【請求項４】
前記光電変換部は、バースト光信号を受信して電気信号に変換可能であり、かつ前記光伝送路における光信号の有無を検出可能であり、
前記光通信判別装置は、さらに、
前記光信号に含まれるフレームから所定の種類のフレームを検出するフレーム処理部と、
前記光電変換部による検出結果および前記フレーム処理部による検出結果に基づいて、前記光信号の種類を判別する判別部とを備え、
前記提示制御部は、さらに、前記判別部による判別結果を提示する制御を行う、請求項１から請求項３のいずれか１項に記載の光通信判別装置。
【請求項５】
光通信判別装置における光通信判別方法であって、
局側装置および宅側装置間の光伝送路における前記宅側装置から前記局側装置への光信号を受けて電気信号に変換するステップと、
変換した前記電気信号に基づいて、前記宅側装置の前記局側装置との通信に関する状態である接続状態を判定するステップと、
前記接続状態の判定結果を提示する制御を行うステップとを含み、
前記接続状態を判定するステップにおいては、前記電気信号に含まれるフレームのうち、第１のフレームの一定期間における数であるフレーム数、および前記第１のフレームと種類の異なる第２のフレームの有無に基づいて、前記接続状態を判定する、光通信判別方法。
【発明の詳細な説明】
【技術分野】
【０００１】
本発明は、光通信判別装置および光通信判別方法に関する。
【背景技術】
【０００２】
近年、インターネットが広く普及しており、利用者は世界各地で運営されているサイトの様々な情報にアクセスし、その情報を入手することが可能である。これに伴って、ＡＤＳＬ（Asymmetric Digital Subscriber Line）およびＦＴＴＨ（Fiber To The Home）等のブロードバンドアクセスが可能な装置も急速に普及してきている。
【０００３】
ＩＥＥＥ  Ｓｔｄ  ８０２．３ａｈ（登録商標）−２００４（非特許文献１）には、複数の宅側装置（宅側装置：Ｏｐｔｉｃａｌ  Ｎｅｔｗｏｒｋ  Ｕｎｉｔ）が光通信回線を共有して局側装置（局側装置：Ｏｐｔｉｃａｌ  Ｌｉｎｅ  Ｔｅｒｍｉｎａｌ）とのデータ伝送を行なう媒体共有形通信である受動的光ネットワーク（ＰＯＮ：Ｐａｓｓｉｖｅ  Ｏｐｔｉｃａｌ  Ｎｅｔｗｏｒｋ）の１つの方式が開示されている。すなわち、ＰＯＮを通過するユーザ情報およびＰＯＮを管理運用するための制御情報を含め、すべての情報がイーサネット（登録商標）フレームの形式で通信されるＥＰＯＮ（Ｅｔｈｅｒｎｅｔ（登録商標）  ＰＯＮ）と、ＥＰＯＮのアクセス制御プロトコル（ＭＰＣＰ（Ｍｕｌｔｉ−Ｐｏｉｎｔ  Ｃｏｎｔｒｏｌ  Ｐｒｏｔｏｃｏｌ））およびＯＡＭ（Ｏｐｅｒａｔｉｏｎｓ  Ａｄｍｉｎｉｓｔｒａｔｉｏｎ  ａｎｄ    Ｍａｉｎｔｅｎａｎｃｅ）プロトコルとが規定されている。局側装置と宅側装置との間でＭＰＣＰフレームをやり取りすることによって、宅側装置の加入、離脱、および上りアクセス多重制御などが行なわれる。また、非特許文献１では、ＭＰＣＰメッセージによる、新規宅側装置の登録方法、帯域割り当て要求を示すレポート、および送信指示を示すゲートについて記載されている。
【０００４】
なお、１ギガビット／秒の通信速度を実現するＥＰＯＮであるＧＥ−ＰＯＮの次世代の技術として、ＩＥＥＥ８０２．３ａｖ（登録商標）−２００９として標準化が行なわれた１０Ｇ−ＥＰＯＮすなわち通信速度が１０ギガビット／秒相当のＥＰＯＮにおいても、アクセス制御プロトコルはＭＰＣＰが前提となっている。
【０００５】
特許文献１（特開２０１２−２０５２９０号公報）には、以下のような技術が開示されている。すなわち、通信監視装置は、ＯＬＴからＯＮＵに送信される送信許可メッセージに対して、前記ＯＮＵから前記ＯＬＴに送信される制御フレームを、前記ＯＬＴ及び前記ＯＮＵの間の通信経路において監視する制御フレーム監視部と、前記制御フレーム監視部が一定期間に監視した前記制御フレームの監視数を計測する制御フレーム監視数計測部と、前記制御フレーム監視数計測部が前記一定期間に計測した前記制御フレームの監視数に基づいて、前記ＯＮＵが前記ＯＬＴに接続されるバックボーンネットワークと通信を許可されているかどうかを判別する通信許可判別部と、を備える。
【先行技術文献】
【特許文献】
【０００６】
【特許文献１】特開２０１２−２０５２９０号公報
【非特許文献】
【０００７】
【非特許文献１】ＩＥＥＥ  Ｓｔｄ  ８０２．３ａｈ（登録商標）−２００４
【発明の概要】
【発明が解決しようとする課題】
【０００８】
特許文献１に記載の通信監視装置のように、一定期間にＯＮＵからＯＬＴに送信される制御フレームの監視数に基づいて、ＯＮＵがＯＬＴに接続されるバックボーンネットワークと通信を許可されているかどうかを判別する構成では、ＯＮＵの接続状態の正確な判定が困難となる場合がある。
【０００９】
このような特許文献１に記載の技術を超えて、ＰＯＮ等の光通信システムにおいて伝送される光信号をモニタし、光アクセス網の構築または保守の良好な実施を可能とする技術が望まれる。
【００１０】
この発明は、上述の課題を解決するためになされたもので、その目的は、光通信システムにおいて伝送される光信号をモニタし、光アクセス網の構築または保守の良好な実施を可能とする光通信判別装置および光通信判別方法を提供することである。
【課題を解決するための手段】
【００１１】
（１）上記課題を解決するために、この発明のある局面に係わる光通信判別装置は、局側装置および宅側装置間の光伝送路における前記宅側装置から前記局側装置への光信号を受けて電気信号に変換する光電変換部と、前記光電変換部によって変換された前記電気信号に基づいて、前記宅側装置の前記局側装置との通信に関する状態である接続状態を判定する判定部と、前記判定部による判定結果を提示する制御を行う提示制御部とを備え、前記判定部は、前記電気信号に含まれるフレームのうち、第１のフレームの一定期間における数であるフレーム数、および前記第１のフレームと種類の異なる第２のフレームの有無に基づいて、前記接続状態を判定する。
【００１２】
（５）上記課題を解決するために、この発明のある局面に係わる光通信判別方法は、光通信判別装置における光通信判別方法であって、局側装置および宅側装置間の光伝送路における前記宅側装置から前記局側装置への光信号を受けて電気信号に変換するステップと、変換した前記電気信号に基づいて、前記宅側装置の前記局側装置との通信に関する状態である接続状態を判定するステップと、前記接続状態の判定結果を提示する制御を行うステップとを含み、前記接続状態を判定するステップにおいては、前記電気信号に含まれるフレームのうち、第１のフレームの一定期間における数であるフレーム数、および前記第１のフレームと種類の異なる第２のフレームの有無に基づいて、前記接続状態を判定する。
【発明の効果】
【００１３】
本発明によれば、光通信システムにおいて伝送される光信号をモニタし、光アクセス網の構築または保守の良好な実施が可能となる。
【図面の簡単な説明】
【００１４】
【図１】図１は、光通信システムの構成の一例を示す図である。
【図２】図２は、本発明の第１の実施の形態に係る光通信システムの局側装置および新たに接続された宅側装置によるディスカバリ動作のシーケンスを示す図である。
【図３】図３は、本発明の第１の実施の形態に係る光通信判別装置の構成の一例を示す図である。
【図４】図４は、光通信システムにおいて送受信されるフレームの一例を示す図である。
【図５】図５は、宅側装置の接続状態に応じた１秒間あたりのＭＰＣＰフレーム数の一例を示す表である。
【図６】図６は、本発明の第１の実施の形態に係る光通信判別装置が宅側装置の接続状態を判定する際の動作手順を定めたフローチャートである。
【図７】図７は、光通信システムの構成の一例を示す図である。
【図８】図８は、ＭＣシステムにおいて送受信される光信号の一例を示す図である。
【図９】図９は、本発明の第２の実施の形態に係る光通信判別装置の構成の一例を示す図である。
【図１０】図１０は、本発明の第２の実施の形態に係る光通信判別装置が光信号の種類を判別する際の動作手順を定めたフローチャートである。
【図１１】図１１は、本発明の第２の実施の形態に係る光通信判別装置が連続光判別処理を実行する際の動作手順を定めたフローチャートである。
【図１２】図１２は、本発明の第２の実施の形態に係る光通信判別装置がバースト光判別処理を実行する際の動作手順を定めたフローチャートである。
【発明を実施するための形態】
【００１５】
最初に、本発明の実施形態の内容を列記して説明する。
【００１６】
（１）本発明の実施形態に係る光通信判別装置は、局側装置および宅側装置間の光伝送路における前記宅側装置から前記局側装置への光信号を受けて電気信号に変換する光電変換部と、前記光電変換部によって変換された前記電気信号に基づいて、前記宅側装置の前記局側装置との通信に関する状態である接続状態を判定する判定部と、前記判定部による判定結果を提示する制御を行う提示制御部とを備え、前記判定部は、前記電気信号に含まれるフレームのうち、第１のフレームの一定期間における数であるフレーム数、および前記第１のフレームと種類の異なる第２のフレームの有無に基づいて、前記接続状態を判定する。
【００１７】
このように、光信号に含まれるフレームの数および当該フレームと異なる種類のフレームの有無に基づいて宅側装置の通信に関する状態を判定する構成により、局側装置ごとに宅側装置の多様な当該状態が存在する場合でも、宅側装置から局側装置へ伝送されるフレームの検出結果を用いて各種状態を判別することができる。これにより、宅側装置の接続状態をより正確に判別することができる。したがって、上り光信号をモニタし、光アクセス網の構築または保守の良好な実施が可能となる。また、このような簡易な構成の光通信判別装置を用いて光アクセス網における通信状態を確認することができるため、局側装置または宅側装置等を高機能化させることなく、光伝送路の誤接続および圧着ミス等を低コストで防止することができる。
【００１８】
（２）好ましくは、前記接続状態には、前記宅側装置が前記光伝送路に接続されていない未接続状態と、前記宅側装置が前記光伝送路に接続され、かつ前記局側装置に認証されていない未認証状態と、前記宅側装置が前記光伝送路に接続され、かつ前記局側装置に認証された認証状態とがある。
【００１９】
このような構成により、宅側装置の接続状態として、未接続状態、未認証状態および認証状態の多様な状態を判定することができる。
【００２０】
（３）好ましくは、前記提示制御部は、さらに、前記フレーム数が所定の閾値以上であり、かつ前記第２のフレームが未検出である状態を提示する制御を行う。
【００２１】
このような構成により、宅側装置の接続状態を判定するために第２のフレームの有無を確認する必要があり、かつ、第２のフレームが未検出である旨を提示することができるため、接続状態を判定するために第２のフレームの検出結果待ちの状態である旨をユーザ等に提示することができる。これにより、ユーザ等の利便性を向上させることができる。
【００２２】
（４）好ましくは、前記光電変換部は、バースト光信号を受信して電気信号に変換可能であり、かつ前記光伝送路における光信号の有無を検出可能であり、前記光通信判別装置は、さらに、前記光信号に含まれるフレームから所定の種類のフレームを検出するフレーム処理部と、前記光電変換部による検出結果および前記フレーム処理部による検出結果に基づいて、前記光信号の種類を判別する判別部とを備え、前記提示制御部は、さらに、前記判別部による判別結果を提示する制御を行う。
【００２３】
このような構成により、光信号の種類を判別した上で、当該光信号の出力元である宅側装置の接続状態を判定する優れた光通信判別装置を実現することができる。
【００２４】
（５）本発明の実施形態に係る光通信判別方法は、光通信判別装置における光通信判別方法であって、局側装置および宅側装置間の光伝送路における前記宅側装置から前記局側装置への光信号を受けて電気信号に変換するステップと、変換した前記電気信号に基づいて、前記宅側装置の前記局側装置との通信に関する状態である接続状態を判定するステップと、前記接続状態の判定結果を提示する制御を行うステップとを含み、前記接続状態を判定するステップにおいては、前記電気信号に含まれるフレームのうち、第１のフレームの一定期間における数であるフレーム数、および前記第１のフレームと種類の異なる第２のフレームの有無に基づいて、前記接続状態を判定する。
【００２５】
このように、光信号に含まれるフレームの数および当該フレームと異なる種類のフレームの有無に基づいて宅側装置の通信に関する状態を判定する方法により、局側装置ごとに宅側装置の多様な当該状態が存在する場合でも、宅側装置から局側装置へ伝送されるフレームの検出結果を用いて各種状態を判別することができる。これにより、宅側装置の接続状態をより正確に判別することができる。したがって、上り光信号をモニタし、光アクセス網の構築または保守の良好な実施が可能となる。また、このような簡易な構成の光通信判別装置を用いて光アクセス網における通信状態を確認することができるため、局側装置または宅側装置等を高機能化させることなく、光伝送路の誤接続および圧着ミス等を低コストで防止することができる。
【００２６】
以下、本発明の実施の形態について図面を用いて説明する。なお、図中同一または相当部分には同一符号を付してその説明は繰り返さない。
【００２７】
＜第１の実施の形態＞
図１は、光通信システムの構成の一例を示す図である。
【００２８】
図１を参照して、光通信システム４０１は、局舎３０１に設けられた局側装置３０２Ａ，３０２Ｂと、端末局である複数の宅側装置２０１Ａ〜２０１Ｄと、光スプリッタ２１１Ａ，２１１Ｂと、光ファイバ２１２Ａ，２１２Ｂとを備える。光通信システム４０１は、たとえばＰＯＮシステムである。以下、宅側装置２０１Ａ〜２０１Ｄの各々を宅側装置２０１とも称する。局側装置３０２Ａ，３０２Ｂの各々を局側装置３０２とも称する。光ファイバ２１２Ａ，２１２Ｂの各々を光ファイバ２１２とも称する。
【００２９】
光通信システム４０１では、上位ネットワークに接続された局側装置３０２と、複数の宅側装置２０１とが、光伝送路である光ファイバ２１２によってツリー状に接続される。
【００３０】
具体的には、宅側装置２０１Ａ，２０１Ｂと局側装置３０２Ａとは、光スプリッタ２１１Ａおよび分岐された光ファイバ２１２Ａを介して接続され、互いに光信号を送受信する。宅側装置２０１Ｃ，２０１Ｄと局側装置３０２Ｂとは、光スプリッタ２１１Ｂおよび分岐された光ファイバ２１２Ｂを介して接続され、互いに光信号を送受信する。当該光信号には、通信情報等が格納されたフレームが含まれる。
【００３１】
宅側装置２０１Ａ，２０１Ｂには、それぞれ、パソコン等のユーザ端末２０２Ａ，２０２Ｂが接続される。ユーザ端末２０２Ａ，２０２Ｂは、光通信システム４０１を介して上位ネットワークと通信を行う。
【００３２】
なお、光通信システム４０１は、さらに多数の局側装置３０２を備えてもよいし、少数またはさらに多数の宅側装置２０１および光スプリッタを備えてもよい。また、１つの宅側装置２０１に複数のユーザ端末が接続されていてもよい。
【００３３】
ここで、宅側装置２０１から上位ネットワークへの方向を上り方向と称し、上位ネットワークから宅側装置２０１への方向を下り方向と称する。光通信システム４０１では、上り方向が時分割多重アクセス（ＴＤＭＡ）であり、下り方向が時分割多重（ＴＤＭ）である。光通信システム４０１では、上り方向の光信号（以下、上り光信号とも称する。）はバースト状の光信号すなわちバースト光信号である。ここで、バースト光信号とは、時間領域において光信号が存在する期間と光信号が存在しない期間とが共存する信号である。
【００３４】
たとえば、宅側装置２０１には、１Ｇ（１ギガビット／秒）用の宅側装置２０１と、１０Ｇ（１０ギガビット／秒）用の宅側装置２０１とがある。たとえば、局側装置３０２には、１Ｇ用の局側装置３０２と、１０Ｇ用の局側装置３０２とがある。
【００３５】
１０Ｇ用の局側装置３０２は、たとえば、送信または受信するフレームの通信速度、すなわち伝送レートが異なる複数種類の宅側装置２０１と通信可能である。
【００３６】
より詳細には、１０Ｇ用の局側装置３０２は、上り方向において１Ｇｂｐｓのフレームを１Ｇ用の宅側装置２０１から受信し、下り方向において１Ｇｂｐｓのフレームを１Ｇ用の宅側装置２０１へ送信する。また、１０Ｇ用の局側装置３０２は、上り方向において１０Ｇｂｐｓのフレームを１０Ｇ用の宅側装置２０１から受信し、下り方向において１０Ｇｂｐｓのフレームを１０Ｇ用の宅側装置２０１へ送信する
【００３７】
たとえば、１Ｇ用の宅側装置２０１はＧＥ−ＰＯＮに対応し、１０Ｇ用の宅側装置２０１および１０Ｇ用の局側装置３０２は１０Ｇ−ＥＰＯＮに対応する。
【００３８】
光通信システム４０１において、局側装置３０２は、所定の周期でディスカバリ動作を行う。局側装置３０２は、ディスカバリ動作を周期的に行うことにより、新たに光ファイバ２１２に接続された宅側装置２０１を検知し、検知した宅側装置２０１にＬＬＩＤ（Ｌｏｇｉｃａｌ  Ｌｉｎｋ  ＩＤ）を付与して当該宅側装置２０１との通信接続を確立する。
【００３９】
図２は、本発明の第１の実施の形態に係る光通信システムの局側装置および新たに接続された宅側装置によるディスカバリ動作のシーケンスを示す図である。
【００４０】
図２を参照して、局側装置３０２は、ディスカバリ動作の開始タイミングになると、新たに光ファイバ２１２に接続された宅側装置２０１を検知するために、ディスカバリゲートフレームを送信する（ステップＳ１０２）。
【００４１】
次に、新たに光ファイバ２１２に接続された宅側装置２０１がディスカバリゲートフレームを受信すると、登録要求を含むフレームであるレジスタリクエストフレームを局側装置３０２へ送信する（ステップＳ１０４）。
【００４２】
これにより、宅側装置２０１の局側装置３０２との通信に関する状態（以下、宅側装置２０１の接続状態Ｓとも称する。）が、未接続状態から未認証状態へ遷移する。
【００４３】
局側装置３０２は、ディスカバリゲートフレームによって指定したディスカバリウィンドウＴｄｗにおいて宅側装置２０１から有効なレジスタリクエストフレームを受信すると、当該宅側装置２０１にＬＬＩＤおよび送信帯域を割り当てる処理を含む登録処理を行う（ステップＳ１０６）。
【００４４】
そして、局側装置３０２は、割り当てたＬＬＩＤなどが格納されたレジスタフレームを宅側装置２０１へ送信する（ステップＳ１０８）。
【００４５】
さらに、局側装置３０２は、割り当てた送信帯域の情報などが格納されたゲートフレームを宅側装置２０１へ送信する（ステップＳ１１０）。
【００４６】
次に、宅側装置２０１は、レジスタフレームおよびゲートフレームを受信すると、レジスタフレームに対する受信確認のためのレジスタＡＣＫフレームを送信する（ステップＳ１１２）。これにより、局側装置３０２と宅側装置２０１との間でＭＣＰＣリンクが確立される。
【００４７】
さらに、ＭＣＰＣが確立された局側装置３０２と宅側装置２０１との間でＯＡＭフレームの送受信を行う（ステップＳ１１４）。これにより、局側装置３０２と宅側装置２０１との間でＯＡＭリンクが確立される。
【００４８】
次に、局側装置３０２は、宅側装置２０１を認証する認証処理を行う（ステップＳ１１６）。
【００４９】
次に、局側装置３０２は、宅側装置２０１の認証が完了すると、認証済であることを通知するためのＯＬＴレジスタフレームを宅側装置２０１へ送信する（ステップＳ１１８）。
【００５０】
これにより、宅側装置２０１の接続状態Ｓが、未接続状態から認証状態へ遷移する。
【００５１】
このように、局側装置３０２と宅側装置２０１との間で、レジスタリクエストフレーム、レジスタフレーム、ゲートフレームおよびレジスタＡＣＫフレームなどのＭＰＣＰフレームをやり取りすることにより、宅側装置２０１の認証処理が行われる。
【００５２】
宅側装置２０１の接続状態Ｓが認証状態へ遷移した後も、局側装置３０２と宅側装置２０１との間で定期的にＭＰＣＰフレームをやり取りすることにより、上りアクセス多重制御が行われる。
【００５３】
たとえばＧＥ−ＰＯＮでは、認証状態における宅側装置２０１から局側装置３０２へのＭＰＣＰフレームの送信頻度は、未認証状態における当該送信頻度と比べて高くなる。
［課題］
【００５４】
ところで、光通信システム４０１の新規敷設時または局側装置３０２もしくは光ファイバ２１２の切り替え工事を行う際に光ファイバ２１２の誤接続および圧着ミス等がないかを確認するための技術が求められる。
【００５５】
そこで、たとえば、局側装置３０２と宅側装置２０１とを接続した際に、当該局側装置３０２と当該宅側装置２０１との間で送受信されるＭＰＣＰフレームの数に基づいて当該宅側装置２０１の接続状態Ｓを判定し、判定結果に基づいて、当該局側装置３０２および当該宅側装置２０１間の接続の適否を判断する方法が考えられる。
【００５６】
具体的には、局側装置３０２と宅側装置２０１とが正しい組み合わせで接続された場合、宅側装置２０１の接続状態Ｓが認証状態へ遷移するため、宅側装置２０１から局側装置３０２へのＭＰＣＰフレームの送信頻度が高くなる。
【００５７】
一方で、作業者が宅側装置２０１と局側装置３０２とを接続したつもりであっても圧着ミスなどが生じている場合、当該宅側装置２０１から送信されるＭＰＣＰフレームの数は、たとえばゼロになる。
【００５８】
そこで、特許文献１に記載の通信監視装置のように、一定期間において宅側装置２０１から局側装置３０２へ送信される制御フレームたとえばＭＰＣＰフレームの数に基づいて、宅側装置２０１の接続状態Ｓを判定し、判定結果に基づいて、光ファイバ２１２の誤接続および圧着ミス等を検知する方法が考えられる。
【００５９】
しかしながら、１０Ｇ用の宅側装置２０１が含まれる光通信システム４０１においては、ＭＰＣＰフレームに基づく宅側装置２０１の接続状態Ｓの正確な判定が困難となる場合がある。
【００６０】
たとえば、認証状態である１０Ｇ用の宅側装置２０１によるＭＰＣＰフレームの送信頻度と、未認証状態である１Ｇ用の宅側装置２０１および未認証状態である１０Ｇ用の宅側装置２０１によるＭＰＣＰフレームの送信頻度との間に大差が生じない場合がある。
【００６１】
具体的には、認証状態であり、かつ、ユーザ端末が接続されていない１０Ｇ用の宅側装置２０１によるＭＰＣＰフレームの送信頻度は、未認証状態である１Ｇ用の宅側装置２０１および未認証状態である１０Ｇ用の宅側装置２０１によるＭＰＣＰフレームの送信頻度と同程度である。したがって、１０Ｇ用の宅側装置２０１が含まれる光通信システム４０１においては、一定期間におけるＭＰＣＰフレームの数に基づいて宅側装置２０１の接続状態Ｓを判定することは困難である。
【００６２】
そこで、本発明の第１の実施の形態に係る光通信判別装置および光通信判別方法では、以下のような構成および動作により、このような課題を解決する。
【００６３】
[光通信判別装置の構成]
図３は、本発明の第１の実施の形態に係る光通信判別装置の構成の一例を示す図である。
【００６４】
図３を参照して、光通信判別装置１０１は、受光部１１と、光電変換部１２と、信号処理部１３と、判定部１４と、提示制御部１５と、提示部１６とを備える。光通信判別装置１０１は、光通信システム４０１において用いられる。
【００６５】
光通信判別装置１０１は、局側装置３０２および宅側装置２０１の間の通信経路において伝送される光信号を監視する。たとえば、光通信判別装置１０１は、光ファイバ２１２における上り光信号を監視し、監視結果に基づいて宅側装置２０１の接続状態Ｓを判定する。
【００６６】
施工者またはユーザは、光通信システム４０１の新規敷設時または局側装置３０２もしくは光ファイバ２１２の切り替え工事を行う際に、光通信判別装置１０１を用いて局側装置３０２および宅側装置２０１間の接続の適否を確認する。
【００６７】
光通信判別装置１０１において、受光部１１は、光ファイバ２１２に接続可能であり、光ファイバ２１２における上り光信号を受信する。より詳細には、たとえば、受光部１１は、光ファイバ２１２の端部であるコネクタに脱着可能に接続される。なお、図１に示すように、光ファイバ２１２がたとえばカプラ２１３を介して分岐されており、かつ、受光部１１が、光ファイバ２１２における分岐された部分の端部であるコネクタに脱着可能に接続される構成であってもよい。また、受光部１１は、光ファイバ２１２から漏洩する光を集光することにより上り光信号を受信する構成であってもよい。受光部１１は、受信した上り光信号を光電変換部１２へ出力する。
【００６８】
光電変換部１２は、たとえば受光素子を含み、受光部１１から受けた光信号を電気信号に変換して信号処理部１３へ出力する。
【００６９】
信号処理部１３は、光電変換部１２から電気信号を受けて、受けた電気信号からクロックを抽出し、抽出したクロックのタイミングに従って当該電気信号をサンプリングすることにより、電気信号に含まれるフレームを再構成する。信号処理部１３は、再構成したフレームを判定部１４へ出力する。
【００７０】
判定部１４は、信号処理部１３からフレームを受けて、受けたフレームに基づいて宅側装置２０１の接続状態Ｓを判定する。
【００７１】
たとえば、判定部１４は、宅側装置２０１の接続状態Ｓが、宅側装置２０１が光ファイバ２１２に接続されていない未接続状態であるか、宅側装置２０１が光ファイバ２１２に接続され、かつ局側装置３０２に認証されていない未認証状態であるか、または宅側装置２０１が光ファイバ２１２に接続され、かつ局側装置３０２に認証された認証状態であるかを判定する。
【００７２】
判定部１４は、信号処理部１３から受けたフレームのうち、第１のフレームたとえばＭＰＣＰフレームの一定期間における数であるフレーム数、および第１のフレームと種類の異なる第２のフレームたとえば応答フレームの有無に基づいて、宅側装置２０１の接続状態Ｓを判定する。より詳細には、判定部１４は、宅側装置２０１ごとのＭＰＣＰフレームのフレーム数および応答フレームの有無に基づいて、宅側装置２０１ごとに接続状態Ｓを判定する。
【００７３】
ここで、応答フレームとは、認証状態の宅側装置２０１から局側装置３０２へ送信されるフレームであり、当該宅側装置２０１へのユーザ端末２０２Ａ，２０２Ｂの接続状況などの情報が格納されたフレームである。認証状態の宅側装置２０１は、応答フレームを局側装置３０２へたとえば定期的に送信する。
【００７４】
判定部１４は、信号処理部１３から受けたフレームのうち、ＭＰＣＰフレームの一定期間における数、および応答フレームの有無に基づいて、宅側装置２０１の接続状態を判定する。
【００７５】
たとえば、判定部１４は、受光部１１が１秒間において受信した上り光信号に含まれる１または複数のフレームのうちのＭＰＣＰフレーム数（以下、１秒間あたりのＭＰＣＰフレーム数Ｆとも称する。）を確認する。また、判定部１４は、受光部１１が６０秒間において受信した上り光信号に含まれる１または複数のフレームに応答フレームが含まれるか否かを確認する。
【００７６】
図４は、光通信システムにおいて送受信されるフレームの一例を示す図である。
【００７７】
図４を参照して、光通信システムにおいて送受信されるフレームは、プリアンブルフィールドと、ヘッダフィールドと、データフィールドと、ＦＣＳ（Ｆｒａｍｅ  Ｃｈｅｃｋ  Ｓｅｑｕｅｎｃｅ）とを有する。ヘッダフィールドには、送信先アドレスと、送信元アドレスと、フレームのタイプとが格納される。
【００７８】
ＭＰＣＰフレームのヘッダフィールドにおけるタイプ、および応答フレームのヘッダフィールドにおけるタイプには、互いに異なる情報が格納される。判定部１４は、信号処理部１３から受けた各フレームにおける、秘匿性の低いヘッダフィールドのタイプに格納された情報を確認することにより、信号処理部１３から受けた複数のフレームから、ＭＰＣＰフレームおよび応答フレームを識別する。また、判定部１４は、たとえばヘッダフィールドの送信元アドレスに格納された情報を確認することで、光ファイバ２１２に接続された複数の宅側装置２０１のうち、ＭＰＣＰフレームおよび応答フレームの送信元の宅側装置２０１を特定することにより、宅側装置２０１ごとに１秒間あたりのＭＰＣＰフレーム数Ｆおよび応答フレームの有無を確認する。
【００７９】
たとえば、判定部１４は、１秒間あたりのＭＰＣＰフレーム数Ｆに関して予め設定されたしきい値ＴｈＡ，ＴｈＢを用いて、宅側装置２０１の接続状態Ｓを判定する。なお、以下では、しきい値ＴｈＡはしきい値ＴｈＢより小さいものとする。
【００８０】
判定部１４は、しきい値ＴｈＡと１秒間あたりのＭＰＣＰフレーム数Ｆとを比較し、１秒間あたりのＭＰＣＰフレーム数Ｆがしきい値ＴｈＡよりも小さい場合、宅側装置２０１の接続状態Ｓは未接続状態であると判定する。
【００８１】
一方で、判定部１４は、しきい値ＴｈＢと１秒間あたりのＭＰＣＰフレーム数Ｆとを比較し、１秒間あたりのＭＰＣＰフレーム数Ｆがしきい値ＴｈＢ以上である場合、宅側装置２０１の接続状態Ｓは認証状態であると判定する。
【００８２】
また、判定部１４は、１秒間あたりのＭＰＣＰフレーム数Ｆがしきい値ＴｈＡ以上かつしきい値ＴｈＢ未満であり、かつ、受光部１１が６０秒間において受信した上り光信号に含まれる１または複数のフレームの中から応答フレームを検出した場合、宅側装置２０１の接続状態Ｓは認証状態であると判定する。
【００８３】
一方で、判定部１４は、１秒間あたりのＭＰＣＰフレーム数Ｆがしきい値ＴｈＡ以上かつしきい値ＴｈＢ未満であり、かつ、受光部１１が６０秒間において受信した上り光信号に含まれる１または複数のフレームの中から応答フレームを検出しなかった場合、宅側装置２０１の接続状態Ｓは未認証状態であると判定する。
【００８４】
判定部１４は、宅側装置２０１の接続状態Ｓの判定結果を提示制御部１５に通知する。
【００８５】
提示制御部１５は、判定部１４による判別結果を施工者またはユーザに提示する制御を行なう。より詳細には、たとえば、提示制御部１５は、判定部１４から通知された宅側装置２０１の接続状態ＳをＬＥＤ（Ｌｉｇｈｔ  Ｅｍｉｔｔｉｎｇ  Ｄｉｏｄｅ）またはＬＣＤ（Ｌｉｑｕｉｄ  Ｃｒｙｓｔａｌ  Ｄｉｓｐｌａｙ）等の提示部１６に表示させる制御を行なう。あるいは、たとえば、提示制御部１５は、判定部１４から通知された宅側装置２０１の接続状態の情報を、図示しないインタフェース回路経由でＰＣ等の外部装置へ送信する。ＰＣ等の外部装置は、提示制御部１５から受信した情報をそのままもしくは加工して表示するか、または保存する。この場合、光通信判別装置１０１は、提示部１６を備えない構成であってもよい。
【００８６】
上記のように、判定部１４は、１秒間あたりのＭＰＣＰフレーム数Ｆがしきい値ＴｈＡ以上かつしきい値ＴｈＢ未満であった場合、６０秒間における応答フレームの有無に基づいて宅側装置２０１の接続状態Ｓを判定する処理を行う。
【００８７】
したがって、たとえば、１秒間あたりのＭＰＣＰフレーム数Ｆがしきい値ＴｈＢ以上である場合、および１秒間あたりのＭＰＣＰフレーム数Ｆがしきい値ＴｈＡ未満である場合に比べて、１秒間あたりのＭＰＣＰフレーム数Ｆがしきい値ＴｈＡ以上かつしきい値ＴｈＢ未満の場合は、判定部１４が宅側装置２０１の接続状態Ｓを判定するのに長時間を要する。
【００８８】
そこで、判定部１４は、たとえば、１秒間あたりのＭＰＣＰフレーム数Ｆがしきい値ＴｈＡ以上かつしきい値ＴｈＢ未満の場合、６０秒間における応答フレームの有無の判断が完了するまでの期間、１秒間あたりのＭＰＣＰフレーム数Ｆがしきい値ＴｈＡ以上かつしきい値ＴｈＢ未満であり、かつ、応答フレームが未検出である旨を示す未検出情報を提示制御部１５へ出力する。
【００８９】
提示制御部１５は、未検出情報を判定部１４から受けると、１秒間あたりのＭＰＣＰフレーム数Ｆがしきい値ＴｈＡ以上であり、かつ応答フレームが未検出である旨を施工者またはユーザに提示する制御を行なう。
【００９０】
図５は、宅側装置の接続状態Ｓに応じた１秒間あたりのＭＰＣＰフレーム数の一例を示す表である。
【００９１】
図５を参照して、未接続状態の１Ｇ用の宅側装置２０１および未接続状態の１０Ｇ用の宅側装置２０１から１秒間あたりに送信されるＭＰＣＰフレーム数Ｆは、たとえばゼロである。未認証状態の１Ｇ用の宅側装置２０１および未認証状態の１０Ｇ用の宅側装置２０１から１秒間あたりに送信されるＭＰＣＰフレーム数Ｆは、たとえば４００である。認証状態の１Ｇ用の宅側装置２０１から１秒間あたりに送信されるＭＰＣＰフレーム数Ｆは、たとえば１０００である。認証状態であり、かつ、ユーザ端末が接続された１０Ｇ用の宅側装置２０１から１秒間あたりに送信されるＭＰＣＰフレーム数Ｆは、たとえば１０００である。認証状態であり、かつ、ユーザ端末が接続されていない１０Ｇ用の宅側装置２０１から１秒間あたりに送信されるＭＰＣＰフレーム数Ｆは、たとえば４００である。
【００９２】
そこで、判定部１４は、たとえば、宅側装置２０１の各接続状態ＳにおけるＭＰＣＰフレーム数Ｆに基づいて宅側装置２０１の接続状態Ｓを正確に判定可能なしきい値ＴｈＡ，ＴｈＢを用いて、宅側装置２０１の接続状態Ｓを判定する。
【００９３】
より詳細には、しきい値ＴｈＡは、未接続状態の１Ｇ用の宅側装置２０１および未接続状態の１０Ｇ用の宅側装置２０１から１秒間あたりに送信されるＭＰＣＰフレーム数Ｆより大きく、かつ、未認証状態の１Ｇ用の宅側装置２０１および未認証状態の１０Ｇ用の宅側装置２０１から１秒間あたりに送信されるＭＰＣＰフレーム数Ｆよりも小さい値であり、たとえば１００である。
【００９４】
しきい値ＴｈＢは、未認証状態の１Ｇ用の宅側装置２０１および未認証状態の１０Ｇ用の宅側装置２０１から１秒間あたりに送信されるＭＰＣＰフレーム数Ｆよりも大きい値であり、かつ、認証状態の１Ｇ用の宅側装置２０１から１秒間あたりに送信されるＭＰＣＰフレーム数Ｆよりも小さい値であり、たとえば８００である。
【００９５】
［動作の流れ］
光通信判別装置１０１は、メモリを含むコンピュータを備え、当該コンピュータにおけるＣＰＵ等の演算処理部は、以下のフローチャートおよびシーケンスの各ステップの一部または全部を含むプログラムを当該メモリから読み出して実行する。このプログラムは、外部からインストールすることができる。このプログラムは、記録媒体に格納された状態で流通する。
【００９６】
図６は、本発明の第１の実施の形態に係る光通信判別装置が宅側装置の接続状態を判定する際の動作手順を定めたフローチャートである。
【００９７】
図６を参照して、まず、光通信判別装置１０１は、光ファイバ２１２において伝送される上り光信号を受けると、受けた上り光信号を電気信号に変換するとともに、電気信号からフレームを再構成する（ステップＳ２０２）。
【００９８】
次に、光通信判別装置１０１は、再構成した複数のフレームのうちのＭＰＣＰフレームの数をカウントし、１秒間あたりのＭＰＣＰフレーム数Ｆを取得する（ステップＳ２０４）。
【００９９】
次に、光通信判別装置１０１は、１秒間あたりのＭＰＣＰフレーム数Ｆと、しきい値ＴｈＢとを比較する（ステップＳ２０６）。
【０１００】
次に、光通信判別装置１０１は、１秒間あたりのＭＰＣＰフレーム数Ｆがしきい値ＴｈＢ以上である場合（ステップＳ２０８でＹＥＳ）、宅側装置２０１の接続状態Ｓを認証状態であると判定する（ステップＳ２１０）。
【０１０１】
次に、光通信判別装置１０１は、宅側装置２０１の接続状態Ｓが認証状態である旨の判定結果をユーザに提示する（ステップＳ２１２）。
【０１０２】
一方、光通信判別装置１０１は、１秒間あたりのＭＰＣＰフレーム数Ｆがしきい値ＴｈＢ未満である場合（ステップＳ２０８でＮＯ）、１秒間あたりのＭＰＣＰフレーム数Ｆと、しきい値ＴｈＡとを比較する（ステップＳ２１４）。
【０１０３】
次に、光通信判別装置１０１は、１秒間あたりのＭＰＣＰフレーム数Ｆがしきい値ＴｈＡ未満である場合（ステップＳ２１６でＮＯ）、宅側装置２０１の接続状態Ｓを未接続状態であると判定する（ステップＳ２１８）。
【０１０４】
次に、光通信判別装置１０１は、宅側装置２０１の接続状態Ｓが未接続状態である旨の判定結果をユーザに提示する（ステップＳ２１２）。
【０１０５】
一方、光通信判別装置１０１は、１秒間あたりのＭＰＣＰフレーム数Ｆがしきい値ＴｈＡ以上である場合（ステップＳ２１６でＹＥＳ）、応答フレームの有無を確認する（ステップＳ２２０）。
【０１０６】
次に、光通信判別装置１０１は、応答フレームの有無の確認が完了するまでの間、１秒間あたりのＭＰＣＰフレーム数Ｆがしきい値ＴｈＡ以上であり、かつ応答フレームが未検出である旨をユーザに提示する（ステップＳ２２２）。
【０１０７】
次に、光通信判別装置１０１は、６０秒間において応答フレームを検出した場合（ステップＳ２２４でＹＥＳ）、宅側装置２０１の接続状態Ｓを認証状態であると判定する（ステップＳ２１０）。
【０１０８】
次に、光通信判別装置１０１は、応答フレームが未検出である旨の提示を終了するとともに、宅側装置２０１の接続状態Ｓが認証状態である旨の判定結果をユーザに提示する（ステップＳ２１２）。
【０１０９】
一方、光通信判別装置１０１は、６０秒間において応答フレームを検出しなかった場合（ステップＳ２２４でＮＯ）、宅側装置２０１の接続状態Ｓを未認証状態であると判定する（ステップＳ２２６）。
【０１１０】
次に、光通信判別装置１０１は、応答フレームが未検出である旨の提示を終了するとともに、宅側装置２０１の接続状態が未認証状態である旨の判定結果をユーザに提示する（ステップＳ２１２）。
【０１１１】
なお、本発明の第１の実施の形態に係る光通信判別装置では、提示制御部１５は、判定部１４による判別結果として、宅側装置２０１の接続状態Ｓを提示する制御を行う構成であるとしたが、これに限定するものではない。提示制御部１５は、上記判定結果として、宅側装置２０１のＭＡＣ（Ｍｅｄｉａ  Ａｃｃｅｓｓ  Ｃｏｎｔｒｏｌ）アドレス、ＭＥＧ−ＩＤ（Ｍａｉｎｔｅｎａｎｃｅ  Ｅｎｔｉｔｙ  Ｇｒｏｕｐ−Ｉｄｅｎｔｉｆｉｃａｔｉｏｎ）、宅側装置２０１が出力する上り光信号のパワー、および対応の光ファイバ２１２に接続されている宅側装置２０１の数などを提示する制御を行う構成であってもよい。
【０１１２】
また、本発明の第１の実施の形態に係る光通信判別装置では、判定部１４は、１秒間あたりのＭＰＣＰフレーム数Ｆおよび応答フレームの有無に基づいて宅側装置２０１の接続状態Ｓを判定する構成であるとしたが、これに限定するものではない。判定部１４は、ＭＰＣＰフレーム以外のフレームたとえばＯＡＭフレームの一定期間における数、および応答フレーム以外のフレームの有無に基づいて宅側装置２０１の接続状態Ｓを判定する構成であってもよい。
【０１１３】
また、本発明の第１の実施の形態に係る光通信判別装置では、判定部１４は、宅側装置２０１の接続状態Ｓとして、未接続状態、未認証状態、および認証状態のいずれかの状態を判定する構成であるとしたが、これに限定するものではない。判定部１４は、上記接続状態Ｓとして、上記以外の状態を判定する構成であってもよい。
【０１１４】
また、本発明の第１の実施の形態に係る光通信判別装置では、提示制御部１５は、未検出情報を判定部１４から受けると、応答フレームが未検出である旨を施工者またはユーザに提示する制御を行なう構成であるとしたが、これに限定するものではない。提示制御部１５は、応答フレームが未検出である旨を施工者またはユーザに提示しない構成であってもよい。
【０１１５】
ところで、光通信システム４０１の新規敷設時または局側装置３０２もしくは光ファイバ２１２の切り替え工事を行う際に光ファイバ２１２の誤接続および圧着ミス等がないかを確認するための技術が求められる。
【０１１６】
これに対して、本発明の第１の実施の形態に係る光通信判別装置では、光電変換部１２は、局側装置３０２および宅側装置２０１の光ファイバ２１２における宅側装置２０１から局側装置３０２への光信号を受けて電気信号に変換する。判定部１４は、光電変換部１２によって変換された電気信号に基づいて、宅側装置２０１の局側装置３０２との通信に関する状態である宅側装置２０１の接続状態Ｓを判定する。提示制御部１５は、判定部１４による判定結果を提示する制御を行う。判定部１４は、電気信号に含まれるフレームのうち、ＭＰＣＰフレームの一定期間における数であるフレーム数、およびＭＰＣＰフレームと種類の異なる応答フレームの有無に基づいて、宅側装置２０１の接続状態Ｓを判定する。
【０１１７】
このように、光信号に含まれるフレームの数および当該フレームと異なる種類のフレームの有無に基づいて宅側装置２０１の通信に関する状態を判定する構成により、局側装置３０２ごとに宅側装置２０１の多様な当該状態が存在する場合でも、宅側装置２０１から局側装置３０２へ伝送されるフレームの検出結果を用いて各種状態を判別することができる。これにより、宅側装置２０１の接続状態Ｓをより正確に判別することができる。
【０１１８】
したがって、本発明の第１の実施の形態に係る光通信システム４０１では、上り光信号をモニタし、光アクセス網の構築または保守の良好な実施が可能となる。また、このような簡易な構成の光通信判別装置を用いて光アクセス網における通信状態を確認することができるため、局側装置３０２または宅側装置２０１等を高機能化させることなく、光ファイバ２１２の誤接続および圧着ミス等を低コストで防止することができる。
【０１１９】
また、本発明の第１の実施の形態に係る光通信判別装置では、宅側装置２０１の接続状態Ｓには、宅側装置２０１が光ファイバに接続されていない未接続状態と、宅側装置２０１が光ファイバに接続され、かつ局側装置３０２に認証されていない未認証状態と、宅側装置２０１が光ファイバに接続され、かつ局側装置３０２に認証された認証状態とがある。
【０１２０】
このような構成により、宅側装置２０１の接続状態Ｓとして、未接続状態、未認証状態および認証状態の多様な状態を判定することができる。
【０１２１】
また、本発明の第１の実施の形態に係る光通信判別装置では、提示制御部１５は、さらに、ＭＰＣＰフレーム数がしきい値ＴｈＡ以上であり、かつ応答フレームが未検出である状態を提示する制御を行う。
【０１２２】
このような構成により、宅側装置の接続状態Ｓを判定するために応答フレームの有無を確認する必要があり、かつ、応答フレームが未検出である旨を提示することができるため、接続状態を判定するために応答フレームの検出結果待ちの状態である旨をユーザ等に提示することができる。これにより、ユーザ等の利便性を向上させることができる。
【０１２３】
本発明の第１の実施の形態に係る光通信判別方法では、まず、光通信判別装置１０１が、局側装置３０２および宅側装置２０１間の光ファイバ２１２における宅側装置２０１から局側装置３０２への光信号を受けて電気信号に変換する。次に、光通信判別装置１０１が、変換した前記電気信号に基づいて、宅側装置２０１の接続状態Ｓを判定する。次に、光通信判別装置１０１が、接続状態Ｓの判定結果を提示する制御を行う。光通信判別装置１０１は、電気信号に含まれるフレームのうち、ＭＰＣＰフレームの一定期間における数であるフレーム数、およびＭＰＣＰフレームと種類の異なる応答フレームの有無に基づいて、接続状態Ｓを判定する。
【０１２４】
このように、光信号に含まれるフレームの数および当該フレームと異なる種類のフレームの有無に基づいて宅側装置２０１の通信に関する状態を判定する方法により、局側装置３０２ごとに宅側装置２０１の多様な当該状態が存在する場合でも、宅側装置２０１から局側装置３０２へ伝送されるフレームの検出結果を用いて各種状態を判別することができる。これにより、宅側装置２０１の接続状態Ｓをより正確に判別することができる。
【０１２５】
したがって、本発明の第１の実施の形態に係る光通信判別方法では、上り光信号をモニタし、光アクセス網の構築または保守の良好な実施が可能となる。また、このような簡易な構成の光通信判別装置を用いて光アクセス網における通信状態を確認することができるため、局側装置３０２または宅側装置２０１等を高機能化させることなく、光ファイバ２１２の誤接続および圧着ミス等を低コストで防止することができる。
【０１２６】
次に、本発明の他の実施の形態について図面を用いて説明する。なお、図中同一または相当部分には同一符号を付してその説明は繰り返さない。
【０１２７】
＜第２の実施の形態＞
本実施の形態は、第１の実施の形態に係る光通信判別装置と比べて光信号の種類を判別する機能を備える光通信判別装置に関する。以下で説明する内容以外は第１の実施の形態に係る光通信判別装置と同様である。
【０１２８】
図７は、光通信システムの構成の一例を示す図である。
【０１２９】
光通信システム４０２は、たとえば、ＰＯＮシステムと、メディアコンバータシステム（以下、ＭＣシステムとも称する。）とを含む光通信システムである。
【０１３０】
図７を参照して、光通信システム４０２は、局舎３０１に設けられた局側装置３０２Ａ〜３０２Ｄと、端末局である複数の宅側装置２０１Ａ〜２０２Ｆと、光スプリッタ２１１Ａ，２１１Ｂと、光ファイバ２１２Ａ〜２１２Ｄとを備える。以下、本実施形態の説明において、宅側装置２０１Ａ〜２０１Ｆの各々を宅側装置２０１とも称する。局側装置３０２Ａ〜３０２Ｄの各々を局側装置３０２とも称する。光ファイバ２１２Ａ〜２１２Ｄの各々を光ファイバ２１２とも称する。
【０１３１】
たとえば、局側装置３０２Ａ，３０２Ｂおよび宅側装置２０１Ａ〜２０２ＤはＰＯＮシステムに対応し、局側装置３０２Ｃ，３０２Ｄおよび宅側装置２０１Ｅ，２０２ＦはＭＣシステムに対応する。
【０１３２】
ＰＯＮシステムでは、上位ネットワークに接続された局側装置３０２と、宅側装置２０１とが、光伝送路である光ファイバ２１２によってツリー状に接続される。
【０１３３】
具体的には、宅側装置２０１Ａ，２０１Ｂと局側装置３０２Ａとは、光スプリッタ２１１Ａおよび分岐された光ファイバ２１２Ａを介して接続され、互いに光信号を送受信する。宅側装置２０１Ｃ，２０１Ｄと局側装置３０２Ｂとは、光スプリッタ２１１Ｂおよび分岐された光ファイバ２１２Ｂを介して接続され、互いに光信号を送受信する。当該光信号には、通信情報等が格納されたフレームが含まれる。
【０１３４】
ＭＣシステムでは、上位ネットワークに接続された局側装置３０２と、宅側装置２０１とが、それぞれ光ファイバ２１２によって１対１に接続される。
【０１３５】
具体的には、局側装置３０２Ｃと宅側装置２０１Ｅとは、光ファイバ２１２Ｃを介して接続され、互いに光信号を送受信する。局側装置３０２Ｄと宅側装置２０１Ｆとは、光ファイバ２１２Ｄを介して接続され、互いに光信号を送受信する。当該光信号には、通信情報等が格納されたフレームが含まれる。
【０１３６】
ＰＯＮシステムでは、上り光信号はバースト光信号である。ＭＣシステムでは、上り光信号は連続的な光信号すなわち連続光信号である。ここで、連続光信号とは、時間領域において常に光信号が存在する信号である。
【０１３７】
宅側装置２０１Ａ，２０１Ｂ，２０１Ｅには、それぞれ、パソコン等のユーザ端末２０２Ａ，２０２Ｂ，２０２Ｅが接続される。ユーザ端末２０２Ａ，２０２Ｂ，２０２Ｅは、光通信システム４０１を介して上位ネットワークと通信を行う。
【０１３８】
なお、光通信システム４０１は、さらに多数の局側装置３０２を備えてもよいし、少数またはさらに多数の宅側装置２０１および光スプリッタを備えてもよい。また、１つの宅側装置２０１に対して複数のユーザ端末が接続されていてもよい。
【０１３９】
図８は、ＭＣシステムにおいて送受信される光信号の一例を示す図である。
【０１４０】
図８を参照して、ＭＣシステムにおいて局側装置３０２Ｃ，３０２Ｄおよび宅側装置２０１Ｅ，２０１Ｆ間で送受信される光信号は、アイドル期間の光信号とフレーム期間の光信号とが時間的に交互に含まれた連続的な光信号である。
【０１４１】
ここで、ＰＯＮシステムとして、たとえば、ＩＴＵ−Ｔ  Ｇ.９８３.１で規格されたＢ−ＰＯＮ、ＩＥＥＥ８０２．３ａｈで規定されたＧＥ−ＰＯＮ、およびＩＥＥＥ８０２．３ａｖで規定された１０Ｇ−ＥＰＯＮなどがある。また、ＭＣシステムとして、１Ｇ−ＭＣ、１００Ｍ−ＭＣ、および１０Ｇ−ＭＣなどがある。
【０１４２】
光通信システム４０２は、たとえば、上記各種ＰＯＮシステムおよび上記各種ＭＣシステムにそれぞれ対応する複数の局側装置３０２および複数の宅側装置２０１を備える。
【０１４３】
［課題］
ところで、光通信システム４０２の新規敷設時または局側装置３０２もしくは光ファイバ２１２の切り替え工事を行う際に光ファイバ２１２の誤接続および圧着ミス等がないかを確認するための技術が求められる。
【０１４４】
そこで、たとえば、局側装置３０２と宅側装置２０１との間で送受信される光信号の種類を判別し、判別した種類に基づいて、当該局側装置３０２および当該宅側装置２０１との間の接続の適否を判断することが考えられる。
【０１４５】
しかしながら、多様な光通信方式が混在する光通信システムにおいては、多様な種類の光信号が送受信されるため、光信号の種類を判別するための構成および処理が複雑化する。
【０１４６】
そこで、本発明の第２の実施の形態に係る光通信判別装置および光通信判別方法は、以下のような構成および動作により、このような課題を解決する。
【０１４７】
[光通信判別装置の構成]
図９は、本発明の第２の実施の形態に係る光通信判別装置の構成の一例を示す図である。
【０１４８】
図９を参照して、光通信判別装置１０２は、受光部２１と、光電変換部２２と、フレーム処理部２４と、判別部２５と、提示制御部２６と、提示部２７とを備える。光通信判別装置１０２は、光通信システム４０２において用いられる。
【０１４９】
光通信判別装置１０２は、局側装置３０２および宅側装置２０１の間の通信経路において伝送される光信号を監視する。たとえば、光通信判別装置１０２は、光ファイバ２１２における光信号たとえば上り光信号を監視し、監視結果に基づいて上り光信号の種類を判別する。
【０１５０】
施工者またはユーザは、光通信システム４０２の新規敷設時または局側装置３０２もしくは光ファイバ２１２の切り替え工事を行う際に、光通信判別装置１０２を用いて局側装置３０２および宅側装置２０１間の接続の適否を確認する。
【０１５１】
光通信判別装置１０２において、受光部２１は、光ファイバ２１２に接続可能であり、光ファイバ２１２における上り光信号を受信する。受光部２１は、バースト光信号および連続光信号の両方を受信可能である。より詳細には、たとえば、受光部２１は、光ファイバ２１２の端部であるコネクタに脱着可能に接続される。なお、図７に示すように、光ファイバ２１２がたとえばカプラ２１３を介して分岐されており、かつ、受光部２１が、光ファイバ２１２における分岐された部分の端部であるコネクタに脱着可能に接続される構成であってもよい。また、受光部２１は、光ファイバ２１２から漏洩する光を集光することにより上り光信号を受信する構成であってもよい。受光部２１は、受信した上り光信号を光電変換部２２へ出力する。
【０１５２】
光電変換部２２は、バースト光信号を受信して電気信号に変換可能である。また、光電変換部２２は、連続光信号を受信して電気信号に変換可能である。さらに、光電変換部２２は、光ファイバ２１２における光信号の有無を検出可能である。
【０１５３】
より詳細には、光電変換部２２は、たとえば受光素子を含み、受光部２１から受けたバースト光信号または連続光信号を電気信号に変換してフレーム処理部２４へ出力する。
【０１５４】
さらに、光電変換部２２は、光ファイバ２１２における上り光信号の有無を検出し、検出結果を含む検出情報を判別部２５へ出力する。たとえば、光電変換部２２は、検出結果に基づいて、光ファイバ２１２における上り光信号の有無を示す１ビットの信号（以下、Ｒｘ＿ＬＯＳ信号とも称する。）を生成し、生成したＲｘ＿ＬＯＳ信号を検出情報として判別部２５へ出力する。
【０１５５】
たとえば、光電変換部２２は、光ファイバ２１２において上り光信号を検出している場合、Ｒｘ＿ＬＯＳ信号としてローレベルの信号を判別部２５へ出力し、光ファイバ２１２において上り光信号を検出していない場合、Ｒｘ＿ＬＯＳ信号としてハイレベルの信号を判別部２５へ出力する。
【０１５６】
フレーム処理部２４は、光電変換部２２から電気信号を受けて、受けた電気信号から所定種類のフレームを検出する。
【０１５７】
たとえば、フレーム処理部２４は、上り光信号の種類ごとに設けられた信号処理部２３Ａ〜２３Ｄと、検出部２３Ｅとを含む。
【０１５８】
たとえば、信号処理部２３ＡはＧＥ−ＰＯＮの上り光信号に対応し、信号処理部２３Ｂは１０Ｇ−ＥＰＯＮの上り光信号に対応し、信号処理部２３Ｃは１Ｇ−ＭＣの上り光信号に対応し、信号処理部２３Ｄは１００Ｍ−ＭＣの上り光信号に対応する。
【０１５９】
信号処理部２３Ａ〜２３Ｄは、光電変換部２２から電気信号を受けて、受けた電気信号からクロックを抽出し、抽出したクロックのタイミングに従って当該電気信号をサンプリングすることにより、電気信号に含まれるフレームの再構成を試みる。信号処理部２３Ａ〜２３Ｄは、フレームを再構成できた場合、再構成したフレームを検出部２３Ｅへ出力する。
【０１６０】
具体的には、受信した上り光信号がＧＥ−ＰＯＮの光信号である場合、信号処理部２３Ａがフレームを再構成することができる。受信した上り光信号が１０Ｇ−ＥＰＯＮの光信号である場合、信号処理部２３Ｂがフレームを再構成することができる。受信した上り光信号が１Ｇ−ＭＣの光信号である場合、信号処理部２３Ｃがフレームを再構成することができる。受信した光信号が１００Ｍ−ＭＣの上り光信号である場合、信号処理部２３Ｄがフレームを再構成することができる。
【０１６１】
たとえば、検出部２３Ｅは、信号処理部２３Ａ〜２３Ｄからフレームを受けると、受けたフレームに１Ｇ−ＭＣ特有のアイドルパターンが含まれているか否かを確認する。また、検出部２３Ｅは、受けたフレームに１００Ｍ−ＭＣ特有のアイドルパターンが含まれているか否かを確認する。
【０１６２】
再び図８を参照して、１Ｇ−ＭＣのフレームにおけるアイドル期間では、アイドルパターンとして、たとえば８Ｂ／１０Ｂ符号化されたＫ２８．５／Ｄ１６．２コードの繰り返しパターンが挿入される。１００Ｍ−ＭＣのフレームにおけるアイドル期間では、アイドルパターンとして、たとえば４Ｂ／５Ｂ符号化されたＩコードの繰り返しパターンが挿入される。
【０１６３】
検出部２３Ｅは、１Ｇ−ＭＣのフレームにおける上記繰り返しパターンおよび１００Ｍ−ＭＣのフレームにおける上記繰り返しパターンをモデルパターンとして記憶している。検出部２３Ｅは、信号処理部２３Ａ〜２３Ｄから受けたフレームと上記各モデルパターンとを比較し、比較した結果に基づいて、１Ｇ−ＭＣのフレームまたは１００Ｍ−ＭＣのフレームを検出する。
【０１６４】
なお、フレーム処理部２４は、受けた電気信号から１０Ｇ−ＭＣのフレームを再構成して出力する信号処理部をさらに含む構成であってもよい。この場合、検出部２３Ｅは、たとえば、１０Ｇ−ＭＣのフレームにおける繰り返しパターンをモデルパターンとして記憶しており、上記信号処理部から受けたフレームと当該モデルパターンとの比較結果に基づいて、１０Ｇ−ＭＣのフレームを検出する。
【０１６５】
また、検出部２３Ｅは、信号処理部２３Ａ〜２３Ｄからフレームを受けると、受けたフレームに、ＧＥ−ＰＯＮのＭＰＣＰフレームまたは１０Ｇ−ＥＰＯＮのＭＰＣＰフレームが含まれているか否かを確認する。
【０１６６】
より詳細には、検出部２３Ｅは、信号処理部２３Ａ〜２３Ｄから受けたフレームのヘッダのタイプに格納された情報を確認することにより、ＭＰＣＰフレームを検出する。
【０１６７】
フレーム処理部２４は、上記のように各種フレームを検出すると、検出したフレームの種類の情報を含む種類情報を判別部２５へ出力する。
【０１６８】
判別部２５は、光電変換部２２による検出結果、およびフレーム処理部２４による検出結果に基づいて、上り光信号の種類を判別する。
【０１６９】
より詳細には、判別部２５は、光電変換部２２から受けたＲｘ＿ＬＯＳ信号のレベルの遷移回数、およびフレーム処理部２４から受けた種類情報に基づいて、光信号の種類を判別する。
【０１７０】
たとえば、判別部２５は、光ファイバ２１２において光信号が有る状態から無い状態へ所定時間内に２以上の所定回数遷移した場合、光信号がバースト光信号であると判断する。なお、上記所定時間は、局側装置３０２によるディスカバリ動作の周期より大きく、たとえば上記ディスカバリ動作の周期の２倍以上である。
【０１７１】
より詳細には、判別部２５は、Ｒｘ＿ＬＯＳ信号の単位時間あたりの遷移回数に関して予め設定されたしきい値ＴｈＣを用いて、光信号がバースト光信号であるかまたは連続光信号であるかを判断する。
【０１７２】
すなわち、判別部２５は、Ｒｘ＿ＬＯＳ信号の単位時間あたりの遷移回数Ｎとしきい値ＴｈＣとを比較し、上記遷移回数Ｎがしきい値ＴｈＣ以上の場合、受信した光信号はバースト光信号であると判断する。一方で、判別部２５は、Ｒｘ＿ＬＯＳ信号の単位時間あたりの遷移回数がゼロ回である場合、受信した光信号は連続光信号であると判断する。
【０１７３】
判別部２５は、受信した光信号が連続光信号であると判断した場合であって、フレーム処理部２４から受けた種類情報に含まれるフレームの種類が１Ｇ−ＭＣである場合、光信号の種類を１Ｇ−ＭＣの光信号であると判別する。
【０１７４】
また、判別部２５は、受信した光信号が連続光信号であると判断した場合であって、フレーム処理部２４から受けた種類情報に含まれるフレームの種類が１００Ｍ−ＭＣである場合、光信号の種類を１００Ｍ−ＭＣの光信号であると判別する。
【０１７５】
一方で、判別部２５は、受信した光信号が連続光信号であると判断した場合であって、フレーム処理部２４から種類情報を受けなかった場合、光信号の種類を１Ｇ−ＭＣおよび１００Ｍ−ＭＣ以外の他のＭＣシステムたとえば１０Ｇ−ＭＣの光信号であると判別する。
【０１７６】
判別部２５は、受信した光信号がバースト光信号であると判断した場合であって、フレーム処理部２４から受けた種類情報に含まれるフレームの種類がＧＥ−ＰＯＮである場合、光信号の種類をＧＥ−ＰＯＮの光信号であると判別する。
【０１７７】
また、判別部２５は、受信した光信号がバースト光信号であると判断した場合であって、フレーム処理部２４から受けた種類情報に含まれるフレームの種類が１０Ｇ−ＥＰＯＮである場合、光信号の種類を１０Ｇ−ＥＰＯＮの光信号であると判別する。
【０１７８】
一方で、判別部２５は、受信した光信号がバースト光信号であると判断した場合であって、フレーム処理部２４から種類情報を受けなかった場合、光信号の種類をＧＥ−ＰＯＮおよび１０Ｇ−ＥＰＯＮ以外の他のＰＯＮシステムたとえばＢ−ＰＯＮの光信号であると判別する。
【０１７９】
提示制御部２６は、判別部２５による判別結果を施工者またはユーザに提示する制御を行なう。より詳細には、たとえば、提示制御部２６は、判別部２５から通知された光信号の種類をＬＥＤまたはＬＣＤ等の提示部２７に表示させる制御を行なう。あるいは、たとえば、提示制御部１５は、判別部２５から通知された光信号の種類の情報を、図示しないインタフェース回路経由でＰＣ等の外部装置へ送信する。ＰＣ等の外部装置は、提示制御部２６から受信した情報をそのままもしくは加工して表示するか、または保存する。この場合、光通信判別装置１０２は、提示部２７を備えない構成であってもよい。
【０１８０】
［動作の流れ］
光通信判別装置１０２は、メモリを含むコンピュータを備え、当該コンピュータにおけるＣＰＵ等の演算処理部は、以下のフローチャートおよびシーケンスの各ステップの一部または全部を含むプログラムを当該メモリから読み出して実行する。このプログラムは、外部からインストールすることができる。このプログラムは、記録媒体に格納された状態で流通する。
【０１８１】
図１０は、本発明の第２の実施の形態に係る光通信判別装置が光信号の種類を判別する際の動作手順を定めたフローチャートである。
【０１８２】
図１０を参照して、まず、光通信判別装置１０２は、光ファイバ２１２において伝送される上り光信号を受けると、受けた上り光信号を電気信号に変換するとともに、電気信号からフレームを再構成する（ステップＳ３０２）。
【０１８３】
次に、光通信判別装置１０２は、所定時間内におけるＲｘ＿ＬＯＳ信号の遷移回数Ｎを取得する（ステップＳ３０４）。
【０１８４】
次に、光通信判別装置１０２は、所定時間内におけるＲｘ＿ＬＯＳ信号の遷移回数Ｎがゼロである場合（ステップＳ３０６でＹＥＳ）、光信号は連続光信号であると判断する（ステップＳ３０８）。
【０１８５】
次に、光通信判別装置１０２は、連続光信号の種類を判別する連続光判別処理を行う。
【０１８６】
一方で、光通信判別装置１０２は、所定時間内におけるＲｘ＿ＬＯＳ信号の遷移回数Ｎがゼロでない場合（ステップＳ３０６でＮＯ）、遷移回数Ｎとしきい値ＴｈＣとを比較する（ステップＳ３１２）。
【０１８７】
次に、光通信判別装置１０２は、遷移回数Ｎがしきい値ＴｈＣ以上である場合（ステップＳ３１４でＹＥＳ）、光信号はバースト光信号であると判断する（ステップＳ３１６）。
【０１８８】
次に、光通信判別装置１０２は、バースト光の種類を判別するバースト光判別処理を行う。
【０１８９】
一方で、光通信判別装置１０２は、遷移回数Ｎがしきい値ＴｈＣ未満である場合（ステップＳ３１４でＮＯ）、再び所定時間内におけるＲｘ＿ＬＯＳ信号の遷移回数Ｎを取得する（ステップＳ３０４）。
【０１９０】
図１１は、本発明の第２の実施の形態に係る光通信判別装置が連続光判別処理を実行する際の動作手順を定めたフローチャートである。
【０１９１】
図１１を参照して、まず、光通信判別装置１０２は、光信号に含まれるフレームにおけるアイドルパターンを検出し、検出したアイドルパターンとモデルパターンとを比較する（ステップＳ４０２）。
【０１９２】
次に、光通信判別装置１０２は、検出したアイドルパターンが１Ｇ−ＭＣのモデルパターンと一致する場合（ステップＳ４０４でＹＥＳ）、光信号の種類を１Ｇ−ＭＣの光信号であると判断する（ステップＳ４０６）。
【０１９３】
次に、光通信判別装置１０２は、光信号の種類が１Ｇ−ＭＣの光信号である旨の判別結果をユーザに提示する（ステップＳ４０８）。
【０１９４】
一方で、光通信判別装置１０２は、検出したアイドルパターンが１Ｇ−ＭＣのモデルパターンと一致しない場合であって（ステップＳ４０４でＮＯ）、検出したアイドルパターンが１００Ｍ−ＭＣのモデルパターンと一致する場合（ステップＳ４１０でＹＥＳ）、光信号の種類を１００Ｍ−ＭＣの光信号であると判断する（ステップＳ４１２）。
【０１９５】
次に、光通信判別装置１０２は、光信号の種類が１００Ｍ−ＭＣの光信号である旨の判別結果をユーザに提示する（ステップＳ４０８）。
【０１９６】
一方で、光通信判別装置１０２は、検出したアイドルパターンが１Ｇ−ＭＣのモデルパターンと一致しない場合であって（ステップＳ４０４でＮＯ）、検出したアイドルパターンが１００Ｍ−ＭＣのモデルパターンと一致しない場合（ステップＳ４１０でＮＯ）、光信号の種類を１０Ｇ−ＭＣの光信号であると判断する（ステップＳ４１４）。
【０１９７】
次に、光通信判別装置１０２は、光信号の種類が１０Ｇ−ＭＣの光信号である旨の判別結果をユーザに提示する（ステップＳ４０８）。
【０１９８】
光通信判別装置１０２は、判別結果をユーザに提示した後、Ｒｘ＿ＬＯＳ信号およびアイドルパターンを監視する。すなわち、判別部２５は、光信号の種類を判別した後、光電変換部２２から受ける新たな検出情報およびフレーム処理部２４から受ける新たな種類情報に基づいて、光信号の種類を新たに判別する（ステップＳ４１６）。
【０１９９】
次に、光通信判別装置１０２は、Ｒｘ＿ＬＯＳ信号の遷移を検出した場合（ステップＳ４１８でＹＥＳ）、光ファイバ２１２において伝送される上り光信号を受けて、受けた上り光信号を電気信号に変換するとともに、電気信号からフレームを再構成する（ステップＳ３０２）。
【０２００】
次に、光通信判別装置１０２は、所定時間内におけるＲｘ＿ＬＯＳ信号の遷移回数Ｎを取得する（ステップＳ３０４）。
【０２０１】
一方で、光通信判別装置１０２は、Ｒｘ＿ＬＯＳ信号の遷移を検出しない場合であって（ステップＳ４１８でＮＯ）、アイドルパターンの変化を検出した場合（ステップＳ４２２でＹＥＳ）、再び、検出したアイドルパターンとモデルパターンとを比較する（ステップＳ４０２）。
【０２０２】
一方で、光通信判別装置１０２は、Ｒｘ＿ＬＯＳ信号の遷移を検出しない場合であって（ステップＳ４１８でＮＯ）、アイドルパターンの変化を検出しない場合（ステップＳ４２２でＮＯ）、Ｒｘ＿ＬＯＳ信号およびフレームの監視を継続する（ステップＳ４１６）。
【０２０３】
図１２は、本発明の第２の実施の形態に係る光通信判別装置がバースト光判別処理を実行する際の動作手順を定めたフローチャートである。
【０２０４】
図１２を参照して、まず、光通信判別装置１０２は、光信号に含まれるＭＰＣＰフレームを検出し、検出したＭＰＣＰフレームとモデルパターンとを比較する（ステップＳ５０２）。
【０２０５】
次に、光通信判別装置１０２は、検出したＭＰＣＰフレームがＧＥ−ＰＯＮのモデルパターンと一致する場合（ステップＳ５０４でＹＥＳ）、光信号の種類をＧＥ−ＰＯＮの光信号であると判断する（ステップＳ５０６）。
【０２０６】
次に、光通信判別装置１０２は、光信号の種類がＧＥ−ＰＯＮの光信号である旨の判別結果をユーザに提示する（ステップＳ５０８）。
【０２０７】
一方で、光通信判別装置１０２は、検出したＭＰＣＰフレームがＧＥ−ＰＯＮのモデルパターンと一致しない場合であって（ステップＳ５０４でＮＯ）、検出したＭＰＣＰフレームが１０Ｇ−ＥＰＯＮのモデルパターンと一致する場合（ステップＳ５１０でＹＥＳ）、光信号の種類を１０Ｇ−ＥＰＯＮの光信号であると判断する（ステップＳ５１２）。
【０２０８】
次に、光通信判別装置１０２は、光信号の種類が１０Ｇ−ＥＰＯＮの光信号である旨の判別結果をユーザに提示する（ステップＳ５０８）。
【０２０９】
一方で、光通信判別装置１０２は、検出したＭＰＣＰフレームがＧＥ−ＰＯＮのモデルパターンと一致しない場合であって（ステップＳ５０４でＮＯ）、検出したＭＰＣＰフレームが１０Ｇ−ＥＰＯＮのモデルパターンと一致しない場合（ステップＳ５１０でＮＯ）、光信号の種類をＢ−ＰＯＮの光信号であると判断する（ステップＳ５１４）。
【０２１０】
次に、光通信判別装置１０２は、光信号の種類がＢ−ＰＯＮの光信号である旨の判別結果をユーザに提示する（ステップＳ５０８）。
【０２１１】
光通信判別装置１０２は、判別結果をユーザに提示した後、Ｒｘ＿ＬＯＳ信号およびフレームの監視を継続する。すなわち、判別部２５は、光信号の種類を判別した後、光電変換部２２から受ける新たな検出情報およびフレーム処理部２４から受ける新たな種類情報に基づいて、光信号の種類を新たに判別する（ステップＳ５１６）。
【０２１２】
次に、光通信判別装置１０２は、Ｒｘ＿ＬＯＳ信号が一定期間遷移しない場合（ステップＳ５１８でＹＥＳ）、光ファイバ２１２において伝送される上り光信号を受けて、受けた上り光信号を電気信号に変換するとともに、電気信号からフレームを再構成する（ステップＳ３０２）。
【０２１３】
次に、光通信判別装置１０２は、所定時間内におけるＲｘ＿ＬＯＳ信号の遷移回数Ｎを取得する（ステップＳ３０４）。
【０２１４】
一方で、光通信判別装置１０２は、Ｒｘ＿ＬＯＳ信号の遷移を検出した場合であって（ステップＳ５１８でＮＯ）、ＭＰＣＰフレームの変化を検出した場合（ステップＳ５２２でＹＥＳ）、再び、検出したＭＰＣＰフレームとモデルパターンとを比較する（ステップＳ５０２）。
【０２１５】
一方で、光通信判別装置１０２は、Ｒｘ＿ＬＯＳ信号の遷移を検出しない場合であって（ステップＳ５１８でＮＯ）、ＭＰＣＰフレームの変化を検出しない場合（ステップＳ５２２でＮＯ）、Ｒｘ＿ＬＯＳ信号およびフレームの監視を継続する（ステップＳ５１６）。
【０２１６】
なお、本発明の第２の実施の形態に係る光通信判別装置１０２は、受光部２１と、光電変換部２２と、フレーム処理部２４と、判別部２５と、提示制御部２６と、提示部２７とを備える構成であるとしたが、これに限定するものではない。光通信判別装置１０２は、本発明の第１の実施の形態に係る光通信判別装置１０１の判定部１４をさらに備え、判別部２５が光信号の種類をＧＥ−ＰＯＮまたは１０Ｇ−ＥＰＯＮであると判別した場合、判定部１４が宅側装置２０１の接続状態を判定する構成であってもよい。
【０２１７】
このような構成により、光信号の種類を判別した上で、当該光信号の出力元である宅側装置２０１の接続状態Ｓを判定する優れた光通信判別装置を実現することができる。
【０２１８】
また、本発明の第２の実施の形態に係る光通信判別装置１０２では、判別部２５は、光ファイバ２１２において光信号が有る状態から無い状態へ所定時間内に２以上の所定回数遷移した場合に光信号がバースト光信号であると判断する構成であるとしたが、これに限定するものではない。判別部２５は、光ファイバ２１２において光信号が有る状態から無い状態へ所定時間内に１回遷移した場合に光信号がバースト光信号であると判断する構成であってもよい。
【０２１９】
以上のように、本発明の第２の実施の形態に係る光通信判別装置では、光電変換部２２は、局側装置および宅側装置間の光ファイバ２１２における宅側装置から局側装置への光信号を受けて電気信号に変換する。フレーム処理部２４は、光信号に含まれるフレームから所定種類のフレームを検出する。判別部２５は、光信号の種類を判別する。提示制御部２６は、判別部２５による判別結果を提示する制御を行う。光電変換部２２は、バースト光信号を受信して電気信号に変換可能であり、かつ光ファイバ２１２における光信号の有無を検出可能である。判別部２５は、光電変換部２２による検出結果およびフレーム処理部２４による検出結果に基づいて、光信号の種類を判別する。
【０２２０】
このように、上り光信号をモニタし、光信号の有無の検出結果および所定種類のフレームの検出結果に基づいて、光信号の種類を判別する構成により、多様な光通信方式が混在する光通信システムにおいて、光信号の種類をより正確に判別することができる。また、たとえば光通信システム４０２の新規敷設時または局側装置３０２もしくは光ファイバ２１２の切り替え工事を行う際に、光通信判別装置１０２を用いて光通信方式を確認することができるため、各光ファイバ２１２に対応する光通信方式の作業者による事前確認を不要とすることができる。さらに、各光ファイバ２１２および対応の光通信方式をまとめた設備データベースと、実際に光通信判別装置を用いて確認した光通信方式とを比較することにより、設備データベースの管理および更新が容易となる。
【０２２１】
したがって、本発明の第２の実施の形態に係る光通信判別装置では、光通信システムにおいて伝送される上り光信号をモニタし、光アクセス網の構築または保守の良好な実施が可能となる。また、バースト光信号を受信可能な構成を用いて光ファイバにおける光信号の有無を検出し、かつ光信号に含まれる所定種類のフレームを検出し、各検出結果を用いる構成により、たとえば複数種類の光信号を受信するためのフィルタおよび回路等を設ける構成と比べて、簡易な構成で光信号の種類を判別することができる。そして、このような簡易な構成の判別用装置を用いて光アクセス網の光アクセス通信方式を確認することができるため、親局または端末局等を高機能化させることなく、光ファイバ２１２の誤接続および圧着ミス等を低コストで防止することができる。
【０２２２】
また、本発明の第２の実施の形態に係る光通信判別装置では、局側装置３０２は、ディスカバリ動作を周期的に行う。判別部２５は、光ファイバ２１２において光信号が有る状態から無い状態へ所定時間内に２以上の所定回数遷移した場合、光信号がバースト光信号であると判断する。所定時間は、ディスカバリ動作の周期より大きい。
【０２２３】
このように、局側装置３０２のディスカバリ動作に対する応答として宅側装置２０１が当該局側装置３０２へ送信するフレームを利用する構成により、より適切なフレームを用いた判別を行うことができる。
【０２２４】
また、本発明の第２の実施の形態に係る光通信判別装置では、判別部２５は、光信号の種類を判別した後、光電変換部２２による新たな検出結果およびフレーム処理部２４による新たな検出結果に基づいて、光信号の種類を新たに判別する。
【０２２５】
このような構成により、宅側装置２０１の起動、宅側装置２０１への光ファイバ２１２接続状態における光信号の変化、および宅側装置２０１への光ファイバ２１２の差し替えなどによる光信号の種類の変化に追従した判別結果を得ることができる。
【０２２６】
その他の構成および動作は第１の実施の形態に係る光通信判別装置と同様であるため、ここでは詳細な説明を繰り返さない。
【０２２７】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２２８】
以上の説明は、以下に付記する特徴を含む。
［付記１］
局側装置および宅側装置間の光伝送路における前記宅側装置から前記局側装置への光信号を受けて電気信号に変換する光電変換部と、
前記光電変換部によって変換された前記電気信号に基づいて、前記宅側装置の前記局側装置との通信に関する状態である接続状態を判定する判定部と、
前記判定部による判定結果を提示する制御を行う提示制御部とを備え、
前記判定部は、前記電気信号に含まれるフレームのうち、第１のフレームの一定期間における数であるフレーム数、および前記第１のフレームと種類の異なる第２のフレームの有無に基づいて、前記接続状態を判定し、
前記判定部は、前記フレーム数が所定の閾値未満である場合に前記未接続状態であると判定し、前記フレーム数が前記所定の閾値以上であり、かつ前記第２のフレームが検出されていない場合に前記未認証状態であると判定し、前記フレーム数が前記所定の閾値以上であり、かつ前記第２のフレームが検出された場合に前記認証状態であると判定し、
前記判別部は、前記光伝送路において前記光信号が有る状態から無い状態へ所定時間内にゼロ回または１回遷移した場合、前記光信号が連続光信号であると判断する、光通信判別装置。
【０２２９】
［付記２］
前記光電変換部は、バースト光信号を受信して電気信号に変換可能であり、かつ前記光伝送路における光信号の有無を検出可能であり、
前記光通信判別装置は、さらに、
前記光信号に含まれるフレームから所定の種類のフレームを検出するフレーム処理部と、
前記光電変換部による検出結果および前記フレーム処理部による検出結果に基づいて、前記光信号の種類を判別する判別部とを備え、
前記提示制御部は、さらに、前記判別部による判別結果を提示する制御を行い、
前記局側装置は、ディスカバリ動作を周期的に行い、
前記判別部は、前記光伝送路において前記光信号が有る状態から無い状態へ所定時間内に２以上の所定回数遷移した場合、前記光信号がバースト光信号であると判断し、
前記所定時間は、前記ディスカバリ動作の周期の２倍以上である、光通信判別装置。
【０２３０】
［付記３］
前記判別部は、前記光信号の種類を判別した後、前記光電変換部による新たな検出結果および前記フレーム処理部による新たな検出結果に基づいて、前記光信号の種類を新たに判別する、光通信判別装置。
【０２３１】
［付記４］
局側装置および宅側装置間の光伝送路における前記宅側装置から前記局側装置への光信号を受けて電気信号に変換する光電変換部と、
前記光信号に含まれるフレームから所定種類のフレームを検出するフレーム処理部と、
前記光信号の種類を判別する判別部と、
前記判別部による判別結果を提示する制御を行う提示制御部とを備え、
前記光電変換部は、バースト光信号を受信して電気信号に変換可能であり、かつ前記光伝送路における光信号の有無を検出可能であり、
前記判別部は、前記光電変換部による検出結果および前記フレーム処理部による検出結果に基づいて、前記光信号の種類を判別する、光通信判別装置。
【０２３２】
［付記５］
光通信判別装置における光通信判別方法であって、
局側装置および宅側装置間の光伝送路における前記宅側装置から前記局側装置への光信号を受けて電気信号に変換するステップと、
前記光信号に含まれるフレームから所定種類のフレームを検出するステップと、
前記光信号の種類を判別するステップと、
前記光信号の種類の判別結果を提示する制御を行うステップとを含み、
前記電気信号に変換するステップにおいては、バースト光信号を受信して電気信号に変換可能であり、かつ前記光伝送路における光信号の有無を検出可能であり、
前記光信号の種類を判別するステップにおいては、前記光信号の有無の検出結果および前記フレームの検出結果に基づいて、前記光信号の種類を判別する、光通信判別方法。
【符号の説明】
【０２３３】
１１  受光部
１２  光電変換部
１３  信号処理部
１４  判定部
１５  提示制御部
１６  提示部
２１  受光部
２２  光電変換部
２３Ａ〜２３Ｄ  信号処理部
２３Ｅ  検出部
２５  判別部
２６  提示制御部
２７  提示部
１０１  光通信判別装置
１０２  光通信判別装置
【図１】
2020123935.tif 000003
【図２】
2020123935.tif 000004
【図３】
2020123935.tif 000005
【図４】
2020123935.tif 000006
【図５】
2020123935.tif 000007
【図６】
2020123935.tif 000008
【図７】
2020123935.tif 000009
【図８】
2020123935.tif 000010
【図９】
2020123935.tif 000011
【図１０】
2020123935.tif 000012
【図１１】
2020123935.tif 000013
【図１２】
2020123935.tif 000014